(57)【要約】【課題】複数の携帯端末のうち、テレビを視聴していない状況にあるユーザの携帯端末と適切に端末連携制御を行う。【解決手段】テレビ受信機１は、テレビ受信機１から放送コンテンツに関する情報を受信可能な複数の携帯端末５０の識別情報を記憶する記憶部４と、放送コンテンツのレコメンドを受け付けたことを示すレコメンド情報を受信する受信部２１と、レコメンド情報を受信すると、記憶部４において識別情報が記憶されている複数の携帯端末５０のうち、テレビ受信機１から放送コンテンツに関する情報を受信していない携帯端末５０に対して当該レコメンド情報を送信する送信部２２とを備える。【選択図】図６
2015187778.tif 000002
【特許請求の範囲】
【請求項１】
複数の携帯端末に放送コンテンツに関する情報を送信可能な受信装置であって、
前記受信装置から前記情報を受信可能な複数の携帯端末の識別情報を記憶する記憶部と、
前記放送コンテンツのレコメンドを受け付けたことを示すレコメンド情報を受信する受信部と、
前記レコメンド情報を受信すると、前記記憶部において前記識別情報が記憶されている前記複数の携帯端末のうち、前記受信装置から前記情報が受信されていない携帯端末に対して当該レコメンド情報を送信する送信部と、
を備える受信装置。
【請求項２】
前記送信部は、前記受信装置から前記情報が受信されていない携帯端末が、前記受信装置と連携可能である携帯端末である場合に、前記レコメンド情報を送信する、
請求項１に記載の受信装置。
【請求項３】
前記送信部は、前記受信装置から前記情報が受信されていない携帯端末が、前記受信装置と連携制御を行うアプリケーションがインストールされていない場合に、前記アプリケーションがインストールされている場合と比較して、通知態様が異なる前記レコメンド情報を送信する、
請求項１又は２に記載の受信装置。
【請求項４】
前記送信部は、前記受信装置から前記情報が受信されていない携帯端末における放送コンテンツの視聴状況に基づいて前記レコメンド情報を送信するか否かを判定する、
請求項１から３のいずれか１項に記載の受信装置。
【請求項５】
前記受信部は、前記受信装置から前記情報を受信可能な携帯端末から、前記レコメンド情報を受信する、
請求項１から４のいずれか１項に記載の受信装置。
【請求項６】
前記受信部は、通信ネットワークを介して外部装置から前記レコメンド情報を受信する、
請求項１から５のいずれか１項に記載の受信装置。
【請求項７】
前記記憶部は、前記複数の携帯端末のそれぞれのユーザの属性を示す属性情報を記憶し、
前記受信装置は、前記受信部が受信したレコメンド情報に対応する放送コンテンツの属性を特定する特定部をさらに備え、
前記送信部は、特定した前記放送コンテンツに対応する属性が、前記ユーザの属性と関連する属性である場合に、前記レコメンド情報を送信する、
請求項１から６のいずれか１項に記載の受信装置。
【請求項８】
前記受信部は、前記複数の携帯端末のそれぞれから、前記放送コンテンツの視聴に係る情報と、操作情報とを受信し、
前記記憶部は、前記放送コンテンツの視聴に係る情報と、前記操作情報とに基づいて特定された前記属性情報を記憶する、
請求項７に記載の受信装置。
【請求項９】
前記送信部は、前記放送コンテンツに対応する属性と、前記ユーザの属性とに基づいて、前記レコメンド情報が示すレコメンドの内容を変更し、変更したレコメンド情報を送信する、
請求項７又は８に記載の受信装置。
【請求項１０】
前記送信部は、現在時刻が所定の時間帯に含まれている場合に、前記レコメンド情報を送信する、
請求項１から９のいずれか１項に記載の受信装置。
【請求項１１】
前記送信部は、前記受信装置において前記放送コンテンツが視聴予約又は録画予約の登録を受け付けている場合において、前記レコメンド情報を受信したとき、当該視聴予約又は録画予約を行ったユーザの携帯端末に限定してレコメンド情報を送信する、
請求項１から１０のいずれか１項に記載の受信装置。
【請求項１２】
前記送信部は、前記レコメンド情報を送信すると、当該レコメンド情報を再送しない、
請求項１から１１のいずれか１項に記載の受信装置。
【請求項１３】
複数の携帯端末に放送コンテンツに関する情報を送信可能な受信装置と、前記放送コンテンツに対するレコメンドを管理するレコメンド装置とを備えるレコメンドシステムであって、
前記レコメンド装置は、
複数の携帯端末から前記放送コンテンツのレコメンドを受け付けたことを示すレコメンド情報を受信すると、前記受信装置にレコメンド情報を送信するレコメンド部を有し、
前記受信装置は、
前記受信装置から前記情報を受信可能な複数の携帯端末の識別情報を記憶する記憶部と、
前記レコメンド装置から前記レコメンド情報を受信する受信部と、
前記記憶部において前記識別情報が記憶されている前記複数の携帯端末のうち、前記受信装置から前記情報を受信していない携帯端末に対して前記レコメンド情報を送信する送信部とを有する、
レコメンドシステム。
【請求項１４】
複数の携帯端末に放送コンテンツに関する情報を送信可能な受信装置が、放送コンテンツのレコメンドを行うレコメンド方法であって、
前記放送コンテンツのレコメンドを受け付けたことを示すレコメンド情報を受信するステップと、
前記レコメンド情報を受信すると、前記受信装置から前記情報を受信可能な複数の携帯端末の識別情報を記憶する記憶部において前記識別情報が記憶されている前記複数の携帯端末のうち、前記受信装置から前記情報が受信されていない携帯端末に対して当該レコメンド情報を送信するステップと、
を備えるレコメンド方法。
【発明の詳細な説明】
【技術分野】
【０００１】
本発明は、受信装置、レコメンドシステム及びレコメンド方法に関する。
【背景技術】
【０００２】
デジタル放送の普及に伴い放送と通信との融合が実現され、近年では、ハイブリッドキャスト（登録商標）と呼ばれるサービスが提供されている。ハイブリッドキャストでは、放送の特徴である同報性と、通信の特徴である個別対応性との双方を満たしたサービスを提供することができる。
【０００３】
また、ハイブリッドキャストでは、テレビ受信機と外部の情報処理端末とを連携する端末連携制御が想定されている。端末連携制御として、例えば特許文献１には、テレビ受信機で所定の放送信号を受信することを契機として、予めテレビ受信機とペアリングが済んでいる情報処理端末において自動的に端末連携制御を実行する端末連携システムが開示されている。
【先行技術文献】
【特許文献】
【０００４】
【特許文献１】特開２０１２−２４４３３９号公報
【発明の概要】
【発明が解決しようとする課題】
【０００５】
ところで、スマートフォンの普及に伴い多くのユーザが情報処理端末を所持する状況では、テレビ受信機の周囲に、テレビ放送を視聴するユーザの情報処理端末だけでなく、テレビ放送を視聴していない他のユーザの情報処理端末が存在する場合がある。このような場合に、特許文献１の端末連携システムのようにペアリングの済んでいる全ての情報処理端末において自動的に端末連携制御を行ったのでは、テレビ放送を視聴していないにもかかわらず端末連携アプリケーションが起動してしまい、却ってユーザの利便性を損ねてしまう。
【０００６】
このため、端末連携制御を自動的に行わないようにすることも考えられる。しかしながら、単に端末連携制御を行わないようにすると、番組に関心があるにもかかわらず当該番組を視聴していないユーザに対して、当該番組に関連する情報を通知することができない。これにより、当該ユーザが、関心がある番組を見逃すことがあった。
【０００７】
本発明は、このような問題に鑑みてなされたものであり、複数の携帯端末のうち、テレビを視聴していない状況にあるユーザの携帯端末と適切に端末連携制御が可能な受信装置、レコメンドシステム及びレコメンド方法を提供する。
【課題を解決するための手段】
【０００８】
本発明の第１の態様に係る受信装置は、複数の携帯端末に放送コンテンツに関する情報を送信可能な受信装置であって、前記受信装置から前記情報を受信可能な複数の携帯端末の識別情報を記憶する記憶部と、前記放送コンテンツのレコメンドを受け付けたことを示すレコメンド情報を受信する受信部と、前記レコメンド情報を受信すると、前記記憶部において前記識別情報が記憶されている前記複数の携帯端末のうち、前記受信装置から前記情報が受信されていない携帯端末に対して当該レコメンド情報を送信する送信部と、を備える。
【０００９】
前記送信部は、前記受信装置から前記情報が受信されていない携帯端末が、前記受信装置と連携可能である携帯端末である場合に、前記レコメンド情報を送信してもよい。前記送信部は、前記受信装置から前記情報が受信されていない携帯端末が、前記受信装置と連携制御を行うアプリケーションがインストールされていない場合に、前記アプリケーションがインストールされている場合と比較して、通知態様が異なる前記レコメンド情報を送信してもよい。前記送信部は、前記受信装置から前記情報が受信されていない携帯端末における放送コンテンツの視聴状況に基づいて前記レコメンド情報を送信するか否かを判定してもよい。
【００１０】
前記送信部は、前記受信装置から前記情報が受信されていない携帯端末が、前記受信装置と連携制御を行うアプリケーションがインストールされていない場合に、前記アプリケーションがインストールされている場合と比較して、通知態様が異なる前記レコメンド情報を送信してもよい。
【００１１】
前記受信部は、前記受信装置から前記情報を受信可能な携帯端末から、前記レコメンド情報を受信してもよい。前記受信部は、通信ネットワークを介して外部装置から前記レコメンド情報を受信してもよい。
【００１２】
前記記憶部は、前記複数の携帯端末のそれぞれのユーザの属性を示す属性情報を記憶し、前記受信装置は、前記受信部が受信したレコメンド情報に対応する放送コンテンツの属性を特定する特定部をさらに備え、前記送信部は、特定した前記放送コンテンツに対応する属性が、前記ユーザの属性と関連する属性である場合に、前記レコメンド情報を送信してもよい。
【００１３】
前記受信部は、前記複数の携帯端末のそれぞれから、前記放送コンテンツの視聴に係る情報と、操作情報とを受信し、前記記憶部は、前記放送コンテンツの視聴に係る情報と、前記操作情報とに基づいて特定された前記属性情報を記憶してもよい。
【００１４】
前記送信部は、前記放送コンテンツに対応する属性と、前記ユーザの属性とに基づいて、前記レコメンド情報が示すレコメンドの内容を変更し、変更したレコメンド情報を送信してもよい。前記送信部は、現在時刻が所定の時間帯に含まれている場合に、前記レコメンド情報を送信してもよい。
【００１５】
前記送信部は、前記受信装置において前記放送コンテンツが視聴予約又は録画予約の登録を受け付けている場合において、前記レコメンド情報を受信したとき、当該視聴予約又は録画予約を行ったユーザの携帯端末に限定してレコメンド情報を送信してもよい。前記送信部は、前記レコメンド情報を送信すると、当該レコメンド情報を再送しなくてもよい。
【００１６】
本発明の第２の態様に係るレコメンドシステムは、複数の携帯端末に放送コンテンツに関する情報を送信可能な受信装置と、前記放送コンテンツに対するレコメンドを管理するレコメンド装置とを備えるレコメンドシステムであって、前記レコメンド装置は、複数の携帯端末から前記放送コンテンツのレコメンドを受け付けたことを示すレコメンド情報を受信すると、前記受信装置にレコメンド情報を送信するレコメンド部を有し、前記受信装置は、前記受信装置から前記情報を受信可能な複数の携帯端末の識別情報を記憶する記憶部と、前記レコメンド装置から前記レコメンド情報を受信する受信部と、前記記憶部において前記識別情報が記憶されている前記複数の携帯端末のうち、前記受信装置から前記情報を受信していない携帯端末に対して前記レコメンド情報を送信する送信部とを有する。
【００１７】
本発明の第３の態様に係るレコメンド方法は、複数の携帯端末に放送コンテンツに関する情報を送信可能な受信装置が、放送コンテンツのレコメンドを行うレコメンド方法であって、前記放送コンテンツのレコメンドを受け付けたことを示すレコメンド情報を受信するステップと、前記レコメンド情報を受信すると、前記受信装置から前記情報を受信可能な複数の携帯端末の識別情報を記憶する記憶部において前記識別情報が記憶されている前記複数の携帯端末のうち、前記受信装置から前記情報が受信されていない携帯端末に対して当該レコメンド情報を送信するステップと、を備える。
【発明の効果】
【００１８】
本発明によれば、複数の携帯端末のうち、テレビを視聴していない状況にあるユーザの携帯端末と適切に端末連携制御を行うことができるという効果を奏する。
【図面の簡単な説明】
【００１９】
【図１】第１の実施形態に係るレコメンドシステムの構成を示す図である。
【図２】端末連携制御に関するテレビ受信機と携帯端末とのソフトウェア構成例を示す図である。
【図３】第１の実施形態に係るレコメンドシステムの概要を示す図である。
【図４】放送コンテンツを評価するためのアイコン画像が表示された画面の一例である。
【図５】レコメンドメッセージが表示された携帯端末の画面の例である。
【図６】第１の実施形態に係るテレビ受信機と携帯端末との機能構成を示すブロック図である。
【図７】第１の実施形態に係るレコメンドシステムの動作シーケンスを示す図である。
【図８】第２の実施形態に係るレコメンドシステムの構成を示す図である。
【図９】第２の実施形態に係るテレビ受信機と携帯端末との機能構成を示すブロック図である。
【図１０】第２の実施形態に係る属性情報の一例を示す図である。
【図１１】第２の実施形態に係るレコメンドシステムの動作シーケンスを示す図である。
【発明を実施するための形態】
【００２０】
＜第１の実施形態＞
［レコメンドシステムＳの概要］
図１は、第１の実施形態に係るレコメンドシステムＳの構成を示す図である。レコメンドシステムＳは、テレビ受信機１と、放送局３０と、複数の携帯端末５０とを含んで構成される。
【００２１】
放送局３０は、放送設備や通信設備を用いて、放送コンテンツを含む放送信号を任意の方法で伝送する。放送設備は、デジタル放送又はケーブルテレビ放送用の放送設備であり、放送信号を放送波に重畳し放送用アンテナ又は光ケーブル等を介して伝送する。通信設備は、ＶＯＤ（Video On Demand）配信用の通信設備であり、放送信号をインターネットを介して伝送する。
なお、放送信号には、放送コンテンツに加え、放送コンテンツを補完等する各種デジタルデータやハイブリッドキャストを実現するための信号等が含まれる。また、放送コンテンツは、放送番組やＶＯＤ配信による番組の内容を示すコンテンツであり、映像や音声を含んで構成される。
【００２２】
携帯端末５０は、スマートフォン、携帯電話機、タブレット、及びゲーム機等であり、テレビ受信機１と予めペアリング、すなわち、テレビ受信機１との連携制御が可能な端末装置である。携帯端末５０は、ペアリング済みのテレビ受信機１と無線通信可能に接続される。また、携帯端末５０は、テレビ受信機１を介してインターネットに接続可能である。
なお、携帯端末５０によるインターネットへの接続は、３Ｇ回線等の携帯電話回線を介して行うこととしてもよく、また、無線ＬＡＮアクセスポイントを介して行うこととしてもよい。ここで、本実施形態では、テレビ受信機１が無線ＬＡＮアクセスポイントとして機能する。
【００２３】
テレビ受信機１は、セットトップボックス１０と表示装置１１とを含んで構成され、放送局３０から伝送される放送コンテンツをユーザに対して表示する。テレビ受信機１は、インターネットに接続可能であるとともに、ペアリング済みの携帯端末５０と無線通信可能に接続される。
【００２４】
セットトップボックス１０は、放送局３０から伝送される放送信号を受信し、映像及び音声等の信号に変換して表示装置１１に出力する。また、セットトップボックス１０は、無線ＬＡＮアクセスポイントとして機能する。表示装置１１は、液晶ディスプレイや有機ＥＬ（Electro-Luminescence）ディスプレイ等により構成され、セットトップボックス１０から出力された放送コンテンツを表示する。
【００２５】
なお、テレビ受信機１は、それぞれ別体として設けられたセットトップボックス１０と表示装置１１とにより構成されることとしてもよく、また、セットトップボックス１０と表示装置１１とが一体となって構成されることとしてもよい。セットトップボックス１０と表示装置１１とが異なる場合は、セットトップボックス１０が本発明の受信装置に相当し、両者が一体となって構成される場合は、テレビ受信機１が本発明の受信装置に相当する。
以下においては、セットトップボックス１０と表示装置１１とが一体となって構成されるテレビ受信機１を例にとり、実施形態について説明する。
【００２６】
レコメンドシステムＳにおいて、テレビ受信機１は、携帯端末５０との端末連携制御を行う。端末連携制御は、テレビ受信機１及び携帯端末５０が有する所定機能に基づいて行われる。端末連携制御は、図２に示すように、携帯端末５０の連携端末基本機能と、テレビ受信機１の受信機基本機能とにより実現される。ここで、連携端末基本機能は、例えば、携帯端末５０に予めインストールされている、連携端末基本機能を実現するための基盤アプリケーションが実行されることで実現される。携帯端末５０の連携端末基本機能と、テレビ受信機１の受信機基本機能との間で互いを事前に登録している状態を「ペアリング済み」といい、ペアリング済みの携帯端末５０が無線ＬＡＮ等によりテレビ受信機１にアクセスできる状態を送受信可能状態という。
【００２７】
本実施形態では、ペアリング済みの携帯端末５０において、連携端末基本機能の上位に位置するコンパニオンアプリを起動する操作が行われることで端末連携制御が行われる。ここで、コンパニオンアプリは、例えば、テレビ受信機１に表示されている番組の表示制御をすることができるリモコンアプリである。携帯端末５０では、コンパニオンアプリを実行すると、放送コンテンツに関する情報をテレビ受信機１から受信する。ここで、放送コンテンツに関する情報とは、例えば、ＨＴＭＬ５により記述された端末側アプリケーション（ＨＴＭＬアプリ）の実行を指示する指示情報である。例えば、携帯端末５０は、放送コンテンツに関する情報を受信すると、外部のサーバにアクセスし、ＨＴＭＬアプリをダウンロードして実行する。
【００２８】
テレビ受信機１は、携帯端末５０との端末連携制御が行われている場合に、放送コンテンツを視聴しているユーザの携帯端末５０から、放送コンテンツのレコメンドを受け付ける。テレビ受信機１は、レコメンドを受け付けると、当該放送コンテンツを視聴していないユーザの携帯端末５０に対してレコメンドを行う。
【００２９】
ここで、図３を参照して、ユーザ宅１００においてテレビ受信機１と３台の携帯端末５０ａ、５０ｂ、５０ｃとが存在する場合を例にとり、具体的に説明する。
ユーザ宅１００においてテレビ受信機１は部屋１０１に設置され、携帯端末５０ａはテレビ受信機１と同室の部屋１０１に位置する。他方、携帯端末５０ｂ、５０ｃはテレビ受信機１と別室の部屋１０２、１０３に位置する。
【００３０】
例えば、テレビ受信機１においてハイブリッドキャストに対応する放送コンテンツが放映されている場合に、携帯端末５０ａのユーザが、コンパニオンアプリを起動する操作を行うと、携帯端末５０ａは、コンパニオンアプリの画面に対して放送コンテンツを評価するアイコン画像を表示部に表示させる。
【００３１】
図４は、携帯端末５０ａに表示される、放送コンテンツを評価するためのアイコン画像が表示された画面の一例である。図４では、コンパニオンアプリが表示するチャネル操作画面の下に、視聴中の放送コンテンツの名称（番組名）「スイス紀行」と、放送コンテンツを肯定的に評価するための「いいね！」ボタンとが表示されている。
【００３２】
携帯端末５０ａのユーザ、携帯端末５０ｂのユーザ及び携帯端末５０ｃのユーザに対して、放送コンテンツを見てほしい場合に、「いいね！」ボタンを押す。すると、携帯端末５０ａは、「スイス紀行」のレコメンドを受け付けたことを示すレコメンド情報をテレビ受信機１に送信する。ここで、レコメンド情報には、放送コンテンツを識別するコンテンツ識別情報が含まれている。なお、携帯端末５０ａから、放送コンテンツの簡単な説明やレコメンドする理由、背景等を示すメッセージを受け付け、これらのメッセージがレコメンド情報に含まれるようにしてもよい。
【００３３】
テレビ受信機１は、レコメンド情報を受信すると、放送コンテンツに関する情報を受信していない携帯端末５０ｂ、５０ｃに対してレコメンド情報を送信する。携帯端末５０ｂ、５０ｃには、レコメンド情報に含まれるコンテンツ識別情報に基づいて放送コンテンツをレコメンドするレコメンドメッセージが表示される。その結果、携帯端末５０ｂのユーザ及び携帯端末５０ｃのユーザは、携帯端末５０ａのユーザが肯定的に評価した放送コンテンツが放送中であることを知ることができる。ここで、携帯端末５０ｂ、５０ｃは、レコメンド情報にメッセージが含まれている場合、当該メッセージを含むレコメンドメッセージを表示してもよい。
【００３４】
図５（ａ）及び図５（ｂ）は、レコメンドメッセージが表示された携帯端末５０ｂ、５０ｃの画面の例である。携帯端末５０ａのユーザが「スイス紀行」を視聴している間に「いいね！」ボタンが押されると、図５（ａ）及び図５（ｂ）に示すように、テレビ受信機１と別室の部屋１０２、１０３に位置する携帯端末５０ｂ及び携帯端末５０ｃのコンパニオンアプリの画面に対して、「スイス紀行」をレコメンドするメッセージが表示される。図５（ｂ）に示すように、放送中の放送コンテンツに関する情報が画面に一覧表示される場合、携帯端末５０ｂ及び携帯端末５０ｃは、レコメンド情報を受信すると、レコメンド情報に対応する放送コンテンツを優先的に表示させるように一覧表示画面を切り替えてもよい。
【００３５】
［本発明の機能構成］
続いて、図６を参照して、テレビ受信機１及び携帯端末５０の構成について説明する。図６は、テレビ受信機１及び携帯端末５０の機能構成を示すブロック図である。
【００３６】
［携帯端末５０の構成］
初めに、携帯端末５０は、制御部５１と、無線部５２と、表示部５３と、記憶部５４と、を含んで構成される。
制御部５１は、例えば、ＣＰＵにより構成される。制御部５１は、記憶部５４に記憶されている各種プログラムを実行することにより、携帯端末５０に係る機能を統括的に制御する。
【００３７】
制御部５１は、表示部５３の表示内容を制御する。具体的には、制御部５１は、携帯端末５０のユーザが、コンパニオンアプリを起動する操作を行うと、放送コンテンツを評価するアイコン画像（「いいね！」ボタン）が設けられたコンパニオンアプリの表示画面を表示部５３に表示させる。また、制御部５１は、テレビ受信機１からレコメンド情報を受信すると、このレコメンド情報に応じたレコメンドメッセージを表示するように表示部５３を制御する。
【００３８】
無線部５２は、Ｗｉ−Ｆｉ（登録商標）等の無線通信回線を介して他の端末装置との間で所定の通信を行う。例えば、無線部５２は、無線通信回線を介してテレビ受信機１と通信可能に接続され、放送コンテンツを評価するアイコン画像が押されたことに応じて、レコメンド情報をテレビ受信機１に対して送信したり、テレビ受信機１から、他の携帯端末５０が送信したレコメンド情報を受信したりする。
【００３９】
表示部５３は、例えば、液晶ディスプレイや有機ＥＬ（Electro-Luminescence）ディスプレイ等により構成される。表示部５３は、制御部５１の制御に応じて文字や図形等を表示する。
記憶部５４は、例えば、ＲＯＭ及びＲＡＭ等により構成される。記憶部５４は、携帯端末５０を機能させるための各種プログラムや各種データを記憶する。
【００４０】
［テレビ受信機１の構成］
テレビ受信機１は、制御部２と、無線部３と、上述した表示装置１１と、記憶部４と、放送受信部５と、通信部６と、を含んで構成される。
【００４１】
無線部３は、Ｗｉ−Ｆｉ等の無線通信回線を介して他の端末装置との間で所定の通信を行う。一例として、無線部３は、無線通信回線を介して複数の携帯端末５０のそれぞれと通信可能に接続され、携帯端末５０からレコメンド情報を受信したり、当該携帯端末５０とは異なる他の携帯端末５０に対してレコメンド情報を送信したりする。また、無線部３は、通信部６を介して取得したコンテンツを携帯端末５０に送信する。
【００４２】
記憶部４は、例えば、ＲＯＭ及びＲＡＭ等により構成される。記憶部４は、テレビ受信機１を機能させるための各種プログラムや各種データを記憶する。また、記憶部４は、テレビ受信機１から放送コンテンツに関する情報を受信可能な複数の携帯端末５０の識別情報を記憶する。また、記憶部４は、放送コンテンツに関する情報を送信した携帯端末５０の識別情報を送信状況情報として記憶する。
【００４３】
放送受信部５は、放送網やケーブルテレビ回線を介して放送局３０から伝送される放送信号を受信すると、当該放送信号を制御部２に出力する。制御部２は、放送信号を、映像データ、音声データ、データ放送や字幕データ等の各種データに分離するとともに、適宜デコード処理等を行い、放送コンテンツとして表示装置１１に出力する。
【００４４】
通信部６は、インターネットを介して外部機器と接続され、外部機器との間で所定の通信を行う。一例として、通信部６は、インターネットを介して放送局３０の通信設備からＶＯＤコンテンツを取得するとともに、図示せぬ外部サーバからハイブリッドキャスト放送で用いられるＨＴＭＬアプリを取得する。
【００４５】
制御部２は、例えば、ＣＰＵにより構成される。制御部２は、記憶部４に記憶されている各種プログラムを実行することにより、テレビ受信機１に係る機能を統括的に制御し、受信部２１及び送信部２２として機能する。
【００４６】
受信部２１は、レコメンド情報を受信する。具体的には、受信部２１は、無線部３を介して、テレビ受信機１から放送コンテンツに関する情報を受信可能な携帯端末５０からレコメンド情報を受信するとともに、当該携帯端末５０の識別情報を受信する。
【００４７】
送信部２２は、受信部２１がレコメンド情報を受信すると、記憶部４において識別情報が記憶されている複数の携帯端末５０のうち、テレビ受信機１から放送コンテンツに関する情報が受信されていない携帯端末５０に対して、当該レコメンド情報を送信する。具体的には、送信部２２は、受信部２１が携帯端末５０からレコメンド情報及び携帯端末５０の識別情報を受信すると、記憶部４を参照して、当該識別情報とは異なる識別情報に関連付けられている携帯端末５０を特定する。さらに、送信部２２は、記憶部４の送信状況情報を参照し、特定した携帯端末５０のうち、テレビ受信機１から放送コンテンツに関する情報を受信していない携帯端末５０をさらに特定する。そして、送信部２２は、特定した携帯端末５０に対して、レコメンド情報を送信する。
【００４８】
ここで、送信部２２は、テレビ受信機１から放送コンテンツに関する情報が受信されていない携帯端末５０が、テレビ受信機１と連携可能である携帯端末５０である場合に、レコメンド情報を送信してもよい。具体的には、送信部２２は、記憶部４を参照して特定した携帯端末５０が、テレビ受信機１とペアリング済みかつ接続可能な状態の携帯端末５０、すなわち、連携端末基本機能を実現するための基盤アプリケーションが実行され、Ｗｉ−Ｆｉによってテレビ受信機１と通信可能に接続されている携帯端末５０に対してレコメンド情報を送信してもよい。
【００４９】
また、送信部２２は、テレビ受信機１から放送コンテンツに関する情報を受信していない携帯端末５０における放送コンテンツの視聴状況に基づいてレコメンド情報を送信するか否かを判定するようにしてもよい。例えば、携帯端末５０において、テレビ受信機１から発せられる電波の受信強度（電波強度）を定期的に測定し、当該測定の結果をテレビ受信機１に送信する。テレビ受信機１の送信部２２は、当該電波強度に基づいて、放送コンテンツの視聴状況を判定するようにしてもよい。例えば、送信部２２は、測定結果における電波強度が所定値以上である場合、当該測定を行った携帯端末５０のユーザが放送コンテンツを視聴していると判定し、測定結果における電波強度が所定値未満である場合、当該測定を行った携帯端末５０のユーザが放送コンテンツを視聴していないと判定してもよい。そして、送信部２２は、放送コンテンツを視聴しているユーザの携帯端末５０の表示部５３に表示させるレコメンドメッセージの表示態様と、放送コンテンツを視聴していないユーザの携帯端末５０の表示部５３に表示させるレコメンドメッセージの表示態様とを異なるものとしてもよい。また、送信部２２は、放送コンテンツを視聴していないユーザの携帯端末５０に限定してレコメンド情報を送信するようにしてもよい。
【００５０】
また、送信部２２は、現在時刻が所定の時間帯に含まれている場合に、放送コンテンツを視聴していないユーザの携帯端末５０にレコメンド情報を送信するようにしてもよい。例えば、記憶部４において、携帯端末５０の識別情報と、当該携帯端末５０に対してレコメンド情報を送信可能な時間帯を示す情報とを関連付けて記憶しておく。送信部２２は、レコメンド情報を送信する携帯端末５０が特定された後、当該携帯端末５０に関連付けられている時間帯が現在時刻に対応している場合に、当該携帯端末５０に対してレコメンド情報を送信する。例えば、携帯端末５０のユーザが、会社に勤務しており夜に帰宅する場合、携帯端末５０の識別情報に、レコメンド情報を送信可能な時間帯として、２０時から２３時を関連付けて記憶しておく。このようにすることで、携帯端末５０のユーザは、自宅に帰宅してからレコメンド情報を受信することができる。よって、テレビ受信機１は、携帯端末５０のユーザが放送コンテンツを閲覧可能な時間帯に対応してレコメンド情報を送信することができる。
【００５１】
また、送信部２２は、テレビ受信機１において放送コンテンツが視聴予約又は録画予約の登録を受け付けている場合において、受信部２１が当該放送コンテンツに関するレコメンド情報を受信したとき、視聴予約又は録画予約を行ったユーザの携帯端末５０に限定してレコメンド情報を送信するようにしてもよい。具体的には、記憶部４において、視聴予約又は録画予約を行ったユーザの携帯端末５０の識別情報と、視聴予約又は録画予約が行われた放送コンテンツの識別情報とを関連付けて記憶しておく。送信部２２は、当該放送コンテンツに関するレコメンド情報を受信したことに応じて、記憶部４を参照し、当該放送コンテンツについて視聴予約又は録画予約を行ったユーザの携帯端末５０を特定する。そして、送信部２２は、特定した携帯端末５０が、テレビ受信機１から放送コンテンツに関する情報を受信していない場合、当該携帯端末５０にレコメンド情報を送信するようにしてもよい。
【００５２】
また、記憶部４に、複数の携帯端末５０のそれぞれのユーザの属性情報を記憶しておき、送信部２２が、放送コンテンツの属性と、ユーザの属性情報とに基づいて、当該ユーザに適した放送コンテンツと判定した場合に限定してレコメンド情報を送信するようにしてもよい。また、記憶部４に、複数の携帯端末５０のそれぞれのユーザが指定したキーワード（例えば、俳優の名前や番組名等）を記憶しておき、当該キーワードに対応する放送コンテンツであると判定した場合に限定してレコメンド情報を送信するようにしてもよい。ここで、送信部２２は、放送信号に含まれる番組識別情報（ＳＩ情報）に基づいて、放送コンテンツが、キーワードに対応しているか否かについて判定してもよい。また、記憶部４に、複数の携帯端末５０のそれぞれに対してレコメンド情報を送信するか否かを判定するフラグを記憶しておき、送信部２２が、当該フラグに基づいてレコメンド情報を送信するか否かを判定してもよい。
【００５３】
また、送信部２２は、各放送コンテンツに対応してレコメンド情報を一度送信すると、同一のレコメンド情報を再送しないようにしてもよい。このようにすることで、例えば、放送コンテンツを視聴しているユーザがザッピングをしながら同一の放送コンテンツについて「いいね！」ボタンを複数押した場合であっても、他の携帯端末５０に対する同じレコメンド情報の送信を防止することができる。
【００５４】
なお、送信部２２は、携帯端末５０が、所定時間以内にテレビ受信機１と通信を行った場合に限定してレコメンド情報を送信するようにしてもよい。このようにすることで、テレビ受信機１は、携帯端末５０のユーザが自宅に帰宅しテレビ受信機１とＷｉ−Ｆｉ接続をした場合等に、当該ユーザが自宅に存在するとみなしてレコメンド情報を送信することができる。
【００５５】
［レコメンドシステムＳの処理］
続いて、図７を参照して、レコメンドシステムＳにおいてテレビ受信機１及び携帯端末５０で実行される処理の流れについて説明する。図７は、レコメンド情報が表示されるまでの処理の流れを示すシーケンス図である。
【００５６】
まず、携帯端末５０ａの制御部５１は、ユーザがコンパニオンアプリを起動する操作を行うと、放送コンテンツを評価する「いいね！」ボタンが設けられたコンパニオンアプリの画面を表示部５３に表示させる（Ｓ１）。
【００５７】
続いて、制御部５１は、携帯端末５０のユーザによって「いいね！」ボタンが押されたか否かを判定する（Ｓ２）。制御部５１は、「いいね！」ボタンが押されたと判定すると、レコメンド情報をテレビ受信機１に送信する。
【００５８】
続いて、テレビ受信機１の受信部２１がレコメンド情報を受信すると、送信部２２は、レコメンド情報の送信対象を特定する（Ｓ３）。具体的には、送信部２２は、記憶部４を参照し、テレビ受信機１から放送コンテンツに関する情報を受信していない携帯端末５０を特定する。ここでは、携帯端末５０ｂ、５０ｃが特定されるものとする。
【００５９】
続いて、送信部２２は、特定された携帯端末５０ｂ、５０ｃが、放送コンテンツと連携可能であるか否かを判定する（Ｓ４）。送信部２２は、特定された携帯端末５０が複数存在する場合、複数の携帯端末５０のそれぞれについて、この判定を行う。送信部２２は、携帯端末５０ｂ、５０ｃが、放送コンテンツと連携可能であると判定した場合、当該携帯端末５０ｂ、５０ｃにレコメンド情報を送信する。ここで、送信部２２は、テレビ受信機１から放送コンテンツに関する情報を受信していない携帯端末５０が、テレビ受信機１と連携制御を行うコンパニオンアプリがインストールされていない場合に、アプリケーションがインストールされている場合と比較して、通知態様が異なるレコメンド情報を送信するようにしてもよい。例えば、送信部２２は、コンパニオンアプリがインストールされていない携帯端末５０に対してメールやＳＮＳを介してレコメンド情報を送信するようにしてもよく、また、コンパニオンアプリ自体のインストールを促してもよい。
【００６０】
携帯端末５０ｂ、５０ｃの制御部５１は、テレビ受信機１からレコメンド情報を受信すると、このレコメンド情報に応じたレコメンドメッセージを表示部５３に表示させる（Ｓ５）。なお、制御部５１は、コンパニオンアプリの表示画面にレコメンドメッセージを表示させることとしたが、これに限らない。例えば、制御部５１は、コンパニオンアプリがインストールされていない場合、メールやＳＮＳを介してレコメンド情報を受信し、当該レコメンド情報を表示するようにしてもよい。
【００６１】
［第１の実施形態における効果］
以上のとおり、第１の実施形態に係るレコメンドシステムＳのテレビ受信機１は、テレビ受信機１から放送コンテンツに関する情報を受信可能な複数の携帯端末５０の識別情報を記憶する記憶部４と、レコメンド情報を受信すると、記憶部４において識別情報が記憶されている複数の携帯端末５０のうち、テレビ受信機１から放送コンテンツに関する情報を受信していない携帯端末５０に対して当該レコメンド情報を送信する送信部２２とを備える。
【００６２】
１台のテレビ受信機１から放送コンテンツに関する情報を受信可能な複数の携帯端末５０は、例えば、家族のそれぞれが所持する。家族内の複数のユーザのそれぞれは、互いに関心を持つ番組を把握する関係にあることから、それぞれのユーザは、放送コンテンツを視聴していないユーザが関心を持つ番組をレコメンドすることができる。このようにレコメンドすることによって、テレビ受信機１は、複数の携帯端末５０のうち、テレビを視聴していない状況にあるユーザの携帯端末５０と適切なタイミングで端末連携制御を行うことができる。
【００６３】
＜第２の実施形態＞
続いて、第２の実施形態について説明する。第１の実施形態では、テレビ受信機１と無線通信可能な複数の携帯端末５０が、テレビ受信機１を介してレコメンド情報を送受信する例について説明した。これに対して、第２の実施形態では、携帯端末５０がレコメンド情報をレコメンドサーバ６０に送信し、テレビ受信機１がレコメンドサーバ６０からレコメンド情報を受信すると、当該レコメンド情報に対応する放送コンテンツに関心があると推定されるユーザの携帯端末５０に当該レコメンド情報を送信する点で第１の実施形態と異なり、その他の点では同じである。このようにすることで、例えば、一のテレビ受信機１において無線通信可能な複数の携帯端末５０とは異なる他の携帯端末５０のユーザから放送コンテンツのレコメンドを受けることができる。
【００６４】
図８は、第２の実施形態に係るレコメンドシステムＳの構成を示す図である。レコメンドシステムＳは、テレビ受信機１（テレビ受信機１ａ、１ｂ）と、複数の携帯端末５０（携帯端末５０ａ、５０ｂ、５０ｅ、５０ｆ）と、放送局３０と、レコメンドサーバ６０とを含んで構成される。複数のテレビ受信機１は、レコメンドサーバ６０と通信ネットワーク７を介して通信可能に接続されている。ここで、テレビ受信機１ａは第１の家Ａに設置され、携帯端末５０ａ、５０ｂは、当該テレビ受信機１ａと無線通信可能に接続されている。また、テレビ受信機１ｂは第２の家Ｂに設置され、携帯端末５０ｅ、５０ｆは、当該テレビ受信機１ｂと無線通信可能に接続されている。複数の携帯端末５０は、テレビ受信機１又は図示せぬ基地局と通信ネットワーク７とを介してレコメンドサーバ６０に接続されている。
【００６５】
図９は、第２の実施形態に係るテレビ受信機１、携帯端末５０及びレコメンドサーバ６０の機能構成を示すブロック図である。図９に示すように、テレビ受信機１は、特定部２３をさらに備える。また、レコメンドサーバ６０は、レコメンド部６１を備える。
【００６６】
第２の実施形態において、携帯端末５０のユーザが、コンパニオンアプリを実行する操作を行うと、コンパニオンアプリの表示画面には、「いいね！」ボタンが表示される。ここで、「いいね！」ボタンには、テレビ受信機１に表示されている放送コンテンツのコンテンツ識別情報が関連付けられている。携帯端末５０の制御部５１は、「いいね！」ボタンが押されると、放送コンテンツのコンテンツ識別情報を含むレコメンド情報をレコメンドサーバ６０に対して送信する。
【００６７】
レコメンドサーバ６０のレコメンド部６１は、複数の携帯端末５０からレコメンド情報を受信すると、複数のテレビ受信機１にレコメンド情報を送信する。具体的には、レコメンド部６１は、携帯端末５０からレコメンド情報を受信すると、レコメンド情報に含まれる放送コンテンツのコンテンツ識別情報に基づいて、放送コンテンツ毎にレコメンドされた回数を計数する。レコメンド部６１は、レコメンド回数が所定回数以上である放送コンテンツについて、当該放送コンテンツのコンテンツ識別情報を含むレコメンド情報を、通信ネットワーク７を介して複数のテレビ受信機１に送信する。
【００６８】
テレビ受信機１の受信部２１は、通信ネットワーク７を介して外部装置としてのレコメンドサーバ６０からレコメンド情報を受信する。なお、テレビ受信機１の受信部２１は、レコメンドサーバ６０にレコメンド情報の取得要求を行い、レコメンドサーバ６０からレコメンド情報を取得してもよい。
テレビ受信機１の記憶部４は、テレビ受信機１と無線通信可能な複数の携帯端末５０のそれぞれのユーザの属性を示す属性情報を記憶する。図１０は、属性情報の一例を示す図である。属性情報は、例えば、所定期間内にユーザが視聴した放送コンテンツが対応する属性の割合を示す関心度指標を、当該属性に関連付けた情報である。属性情報は、例えば、複数の携帯端末５０のユーザの放送コンテンツの視聴履歴に基づいて生成される。
【００６９】
図１０における「ユーザＩＤ」の列には、携帯端末５０のユーザ識別情報が含まれている。ユーザ識別情報は、携帯端末５０に固有の情報であってもよく、レコメンドシステムＳにより提供されるサービスを利用するユーザに提供される疑似的な識別情報であってもよい。「映画」、「音楽」、「旅行」、「スポーツ」、「ドラマ」、「ビジネス」の各列には、それぞれの属性に対応する関心度指標が含まれている。
【００７０】
関心度指標は、全ての属性に対する関心度指標が正規化され、全ての関心度指標の合計値が１にされている。関心度指標が大きければ大きいほど、ユーザが、その属性に高い関心を持っていることを示している。例えば、図１０におけるＩＤ００１のユーザの場合、「旅行」の関心度指標が０．５なので、視聴する放送コンテンツの約５０％が旅行に関連するものであり、「旅行」に関する放送コンテンツへの関心が高いことがわかる。逆に、このユーザは、「映画」及び「スポーツ」の関心度指標が０なので、「映画」及び「スポーツ」に関する放送コンテンツへの関心が低いこともわかる。
【００７１】
ここで、受信部２１は、複数の携帯端末５０のそれぞれから、放送コンテンツの視聴に係る情報と、操作情報とを受信し、記憶部４は、放送コンテンツの視聴に係る情報と、操作情報とに基づいて特定された属性情報を記憶してもよい。例えば、受信部２１は、放送コンテンツの視聴中において受信した操作情報が予め定められている第１の回数よりも多い場合又は操作情報の受信間隔が予め定められている第１の時間よりも短い場合には、放送コンテンツを集中して視聴していないと判定し、当該放送コンテンツの属性に対応する関心度指標を下げるようにしてもよい。また、受信部２１は、放送コンテンツの視聴中において受信した操作情報が予め定められている第２の回数よりも少ない場合又は操作情報の受信間隔が予め定められている第２の時間を超えている場合には、放送コンテンツを集中して視聴していると判定し、当該放送コンテンツの関心度指標を上げるようにしてもよい。このようにすることで、携帯端末５０におけるタッチ操作の頻度等に基づいて記憶部４に記憶されている関心度指標の精度を高めることができる。なお、第１の回数及び第２の回数、並びに第１の時間及び第２の時間は適宜設定できるものであってもよい。
【００７２】
テレビ受信機１の特定部２３は、受信部２１が受信したレコメンド情報に対応する放送コンテンツの属性を特定する。例えば、特定部２３は、レコメンド情報に含まれる放送コンテンツのコンテンツ識別情報と、放送信号に含まれる番組識別情報とに基づいて、当該放送コンテンツに対応する属性を特定する。
【００７３】
テレビ受信機１の送信部２２は、特定部２３が特定した放送コンテンツに対応する属性が、ユーザの属性と関連する属性である場合に、レコメンド情報を送信する。具体的には、送信部２２は、記憶部４に記憶されている属性情報を参照し、特定部２３が特定した属性に関連する関心度指標が所定値以上のユーザを特定する。例えば、特定した属性が「旅行」であり、所定値が０．３である場合、送信部２２は、ＩＤ００１のユーザの携帯端末５０と、ＩＤ００４のユーザの携帯端末５０とを特定し、これらの携帯端末５０にレコメンド情報を送信する。
【００７４】
また、送信部２２は、放送コンテンツに対応する属性と、ユーザの属性とに基づいて、レコメンド情報が示すレコメンドの内容を変更し、変更したレコメンド情報を送信してもよい。例えば、送信部２２は、記憶部４に記憶されている属性情報を参照し、特定部２３が特定した属性に関連する関心度指標が第１の閾値（例えば、０．５）以上のユーザの携帯端末５０に対しては、当該ユーザの関心度が相対的に高いことから、レコメンド情報に放送コンテンツの詳細情報を含ませてレコメンド情報を送信する。また、送信部２２は、関心度指標が第２の閾値（例えば、０．３）以上、第１の閾値未満のユーザの携帯端末５０に対しては、レコメンド情報の内容を変更せずにレコメンド情報を送信する。このようにすることで、テレビ受信機１は、ユーザの関心度の度合いに応じて適切なレコメンドを行うことができる。
【００７５】
［レコメンドシステムＳの処理］
続いて、図１１を参照して、レコメンドシステムＳの複数のテレビ受信機１及び複数の携帯端末５０で実行される処理の流れについて説明する。図１１は、第２の実施形態に係るレコメンドシステムＳの動作シーケンスを示す図である。なお、複数の携帯端末５０では、コンパニオンアプリが実行されているものとする。
【００７６】
まず、複数の携帯端末５０の制御部５１は、コンパニオンアプリの画面に表示されている「いいね！」ボタンが押されたか否かを判定する（Ｓ１１）。制御部５１は、「いいね！」ボタンが押されたと判定すると、レコメンド情報をレコメンドサーバ６０に送信する。
【００７７】
続いて、レコメンドサーバ６０がレコメンド情報を受信すると、レコメンド情報に含まれる放送コンテンツのコンテンツ識別情報に基づいて、放送コンテンツ毎にレコメンドされた回数を計数する。そして、レコメンド部６１は、それぞれの放送コンテンツについて、レコメンド情報を所定回数以上受信したか否かを判定する（Ｓ１２）。レコメンド部６１は、レコメンド情報を所定回数以上受信した放送コンテンツがある場合、当該放送コンテンツに対応するレコメンド情報を複数のテレビ受信機１に送信する。
【００７８】
複数のテレビ受信機１のそれぞれの受信部２１は、レコメンド情報を受信する。続いて、それぞれのテレビ受信機１の特定部２３は、受信部２１が受信したレコメンド情報に対応する放送コンテンツの属性を特定する（Ｓ１３）。
【００７９】
続いて、複数のテレビ受信機１のそれぞれの送信部２２は、自身と無線通信可能に接続されている複数の携帯端末５０から、特定部２３が特定した放送コンテンツに対応する属性、及び記憶部４に記憶されている属性情報に基づいて送信対象の携帯端末５０を特定し（Ｓ１４）、当該携帯端末５０にレコメンド情報を送信する。
携帯端末５０の制御部５１は、レコメンド情報を受信すると、表示部５３に受信したレコメンド情報を表示させる（Ｓ１５）。
【００８０】
［第２の実施形態における効果］
以上、第２の実施形態のテレビ受信機１は、通信ネットワーク７を介してレコメンドサーバ６０からレコメンド情報を受信し、当該レコメンド情報を、自身が無線通信可能な携帯端末５０に送信するので、第三者による放送コンテンツのレコメンドを当該携帯端末５０のユーザに通知することができる。
【００８１】
また、テレビ受信機１は、受信したレコメンド情報に対応する放送コンテンツの属性を特定し、特定した放送コンテンツに対応する属性が、携帯端末５０のユーザの属性と関連する属性である場合に、当該レコメンド情報を当該携帯端末５０に送信する。よって、テレビ受信機１は、第三者による放送コンテンツのレコメンドのうち、携帯端末５０のユーザが関心を持つ可能性が高い放送コンテンツに限定してレコメンドを行うことができる。
【００８２】
なお、第２の実施形態において、複数の携帯端末５０のそれぞれのユーザの属性を示す属性情報をテレビ受信機１が記憶するものとしたが、これに限らない。例えば、当該属性情報をレコメンドサーバ６０が記憶するようにしてもよい。この場合、レコメンドサーバ６０は、携帯端末５０の識別情報と、当該携帯端末５０が無線通信を行うテレビ受信機１の識別情報と、当該携帯端末５０のユーザの属性情報とを関連付けて記憶しておく。
【００８３】
そして、レコメンドサーバ６０は、レコメンドされた放送コンテンツに対応する属性、及び携帯端末５０のユーザの属性情報に基づいて送信対象の携帯端末５０を特定し、特定された携帯端末５０に関連するテレビ受信機１に対してレコメンド情報を送信する。テレビ受信機１の送信部２２は、レコメンド情報を受信すると、レコメンド情報を送信する対象となる携帯端末５０における放送コンテンツの視聴状況に基づいてレコメンド情報を送信するか否かを判定し、当該判定の結果に基づいてレコメンド情報を送信する。
【００８４】
ここで、レコメンドサーバ６０は、テレビ受信機１を介さずに、通信ネットワーク７及び携帯電話回線を介して、携帯端末５０に対してレコメンド情報を直接送信してもよい。この場合、レコメンドサーバ６０において、携帯端末５０における放送コンテンツの視聴状況を監視し、放送コンテンツを視聴していない携帯端末５０にレコメンド情報を送信してもよいし、携帯端末５０において、レコメンド情報を受信した後、携帯端末５０が、放送コンテンツの視聴状況に基づいて、レコメンド情報をユーザに通知するか否かを判定してもよい。このようにすることで、携帯端末５０は、テレビ受信機１と無線通信ができない環境においてもレコメンド情報を受信し、ユーザに通知することができる。これにより、携帯端末５０のユーザは、携帯端末５０においてワンセグ放送により放送コンテンツを視聴したり、テレビ受信機１へのリモートアクセス機能等を利用して放送コンテンツを視聴したりすることができる。
【００８５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００８６】
例えば、テレビ受信機１の制御部が有する機能のうちの１部又は全部の機能を、携帯端末５０の制御部５１が有することとしてもよく、また、携帯端末５０の制御部５１が有する機能のうちの一部又は全部の機能を、テレビ受信機１の制御部が有することとしてもよい。
【符号の説明】
【００８７】
１・・・テレビ受信機、１０・・・セットトップボックス、１１・・・表示装置、２・・・制御部、２１・・・受信部、２２・・・送信部、２３・・・特定部、３・・・無線部、４・・・記憶部、５・・・放送受信部、６・・・通信部、７・・・通信ネットワーク、３０・・・放送局、５０・・・携帯端末、６０・・・レコメンドサーバ
【図１】
2015187778.tif 000003
【図２】
2015187778.tif 000004
【図３】
2015187778.tif 000005
【図４】
2015187778.tif 000006
【図５】
2015187778.tif 000007
【図６】
2015187778.tif 000008
【図７】
2015187778.tif 000009
【図８】
2015187778.tif 000010
【図９】
2015187778.tif 000011
【図１０】
2015187778.tif 000012
【図１１】
2015187778.tif 000013